(57)【要約】【課題】  対物レンズを適量の紫外線硬化性接着剤で確実に固定すること。【解決手段】  レンズホルダ１に光通過孔２が貫設され、該レンズホルダ１の上面１ａに光通過孔２よりも大径で該光通過孔２と同心状の嵌合孔３を形成することにより、その光通過孔２の内周縁にレンズ受座４が形成され、嵌合孔３の内周面からレンズホルダ１の上面１ａにかけて周方向に所定間隔をおいて複数の充填凹部５が形成されており、対物レンズＯＬを嵌合孔３に嵌入させてレンズ受座４上に載置し、接着剤充填器のノズル６から前記各充填凹部５に紫外線硬化性接着剤ＵＶを充填し、紫外線を照射して紫外線硬化性接着剤ＵＶを固化させることにより、対物レンズＯＬをレンズホルダ１に固定するようにした光ピックアップにおいて、前記各充填凹部５からレンズホルダ１の外周面まで延びる接着剤排出溝８がそのレンズホルダ１の上面１ａに形成されている。【選択図】        図１
2009020940.tif 000002
【特許請求の範囲】
【請求項１】
フォーカス方向及びトラッキング方向に移動可能なレンズホルダに光通過孔が貫設され
、該レンズホルダの上面に光通過孔よりも大径で該光通過孔と同心状の嵌合孔を形成する
ことにより、その光通過孔の内周縁にレンズ受座が形成され、前記嵌合孔の内周面からレ
ンズホルダの上面にかけて周方向に所定間隔をおいて複数の充填凹部が形成されており、
対物レンズを嵌合孔に嵌入させてレンズ受座上に載置し、接着剤充填器のノズルから前記
各充填凹部に紫外線硬化性接着剤を充填し、紫外線を照射して紫外線硬化性接着剤を固化
させることにより、対物レンズをレンズホルダに固定するようにした光ピックアップにお
いて、前記各充填凹部からレンズホルダの外周面まで延びる接着剤排出溝がそのレンズホ
ルダの上面に形成されていることを特徴とする光ピックアップ。
【請求項２】
前記各接着剤排出溝が各充填凹部の奥端からレンズホルダの外周面まで延ばされている
ことを特徴とする請求項１に記載の光ピックアップ。
【請求項３】
前記各接着剤排出溝が各充填凹部の両側縁からレンズホルダの外周面まで延ばされ、各
充填凹部の奥端開口部に連通するノズル嵌入部がレンズホルダの上面に形成されており、
そのノズル嵌入部に接着剤充填器のノズルの先端を嵌入させ、そのノズルから各充填凹部
に紫外線硬化性接着剤を充填するようにしたことを特徴とする請求項１に記載の光ピック
アップ。
【請求項４】
フォーカス方向及びトラッキング方向に移動可能なレンズホルダに光通過孔が貫設され
、該レンズホルダの上面に光通過孔よりも大径で該光通過孔と同心状の嵌合孔を形成する
ことにより、その光通過孔の内周縁にレンズ受座が形成され、前記嵌合孔の内周面からレ
ンズホルダの上面にかけて周方向に所定間隔をおいて複数の充填凹部が形成されており、
対物レンズを嵌合孔に嵌入させてレンズ受座上に載置し、接着剤充填器のノズルから前記
各充填凹部に紫外線硬化性接着剤を充填し、紫外線を照射して紫外線硬化性接着剤を固化
させることにより、対物レンズをレンズホルダに固定するようにした光ピックアップにお
いて、前記各充填凹部の両側縁からレンズホルダの外周面まで延びる接着剤排出溝がその
レンズホルダの上面に形成され、レンズホルダの外周部の上面を切り欠いて凹段部を形成
することにより、各充填凹部の奥端に開口部が形成され、該各充填凹部の奥端開口部に連
通するノズル嵌入部が凹段部の底面に凹設されており、そのノズル嵌入部に接着剤充填器
のノズルの先端を嵌入させ、そのノズルから各充填凹部に紫外線硬化性接着剤を充填する
ようにしたことを特徴とする光ピックアップ。
【発明の詳細な説明】
【技術分野】
【０００１】
本発明は、例えばＤＶＤレコーダやＤＶＤプレーヤなどのディスク装置に用いられる光
ピックアップに関し、特に、対物レンズを適量の紫外線硬化性接着剤で確実に固定するこ
とができるようにしたものである。
【背景技術】
【０００２】
従来、光ピックアップの技術の一例として図６に示すものがあり、図６（ａ）は同要部
の平面図、図６（ｂ）はＤ−Ｄ矢視図である。
【０００３】
図６に示すように、アクチュエータ（図示せず）によりフォーカス方向ａ，ｂ及びトラ
ッキング方向ｃ，ｄに駆動される平面視四角形のレンズホルダ１に光通過孔２が貫設され
、該レンズホルダ１の上面１ａに光通過孔２よりも大径で該光通過孔２と同心状の嵌合孔
３を形成することにより、その光通過孔２の内周縁にレンズ受座４が形成され、光通過孔
２の軸心Ｏからレンズホルダ１の各角部に向けて半径方向に延びる仮想線Ｌ１に沿って嵌
合孔３の内周面からレンズホルダ１の上面１ａにかけて周方向に所定間隔（この例では９
０°）をおいて複数（この例では４つ）の充填凹部５が形成され、対物レンズＯＬがレン
ズ受座４上に載置され、その対物レンズＯＬの上面がレンズホルダ１の上面１ａから所定
間隔α（例えば０．２ｍｍ）だけ上方に位置決めされている。
【０００４】
対物レンズＯＬの固定手順を説明すると、対物レンズＯＬを嵌合孔３に嵌入させてレン
ズ受座４上に載置し、各充填凹部５の上方に位置決めした接着剤充填器のノズル６から各
充填凹部５に紫外線硬化性接着剤ＵＶを充填し、紫外線を照射して紫外線硬化性接着剤Ｕ
Ｖを固化させることにより、対物レンズＯＬをレンズホルダ１に固定する。
【０００５】
情報読取手順を説明すると、レンズホルダ１をフォーカス方向ａ，ｂ及びトラッキング
方向ｃ，ｄに駆動し、対物レンズＯＬを通してレーザ光をディスク（図示せず）に投射し
、その反射光に基づいてディスクに記録されている情報を読み取る。なお、関連する技術
として特許文献１に記載したものがある。
【特許文献１】特開２００７−５８９１６公報
【発明の開示】
【発明が解決しようとする課題】
【０００６】
上記従来の構成では、図６（ｂ）に実線で示すように、各充填凹部５の上面まで接着剤
ＵＶを充填した状態を適量状態としているが、該各充填凹部５の内容積が小さいため、そ
の各充填凹部５に接着剤ＵＶを適量充填することが困難であって、過剰に充填する傾向が
あり、図６（ａ）に一点鎖線Ｇ１で示すように、過剰に充填された接着剤ＵＶが対物レン
ズＯＬの外周縁に沿ってレンズホルダ１の上面１ａに溢れたり、図６（ａ）及び（ｂ）の
拡大図に二点鎖線Ｇ２で示すように、過剰に充填された接着剤ＵＶが対物レンズＯＬ上に
溢れ出ることがあり、この状態で紫外線を照射して接着剤ＵＶを固化させると、その過剰
に充填された接着剤ＵＶの固化収縮により対物レンズＯＬに歪みや収差が生じたり、対物
レンズＯＬの有効径内に接着剤ＵＶが侵入して性能を低下させるおそれがある。
【０００７】
また、各充填凹部５が小さいため、該各充填凹部５に対して接着剤充填器のノズル６を
正確に位置合わせすることが実際上困難であり、その各充填凹部５の外に接着剤ＵＶを過
剰にまき散らすおそれもある。
【０００８】
本発明は、上記従来の欠点に鑑み、対物レンズを適量の紫外線硬化性接着剤で確実に固
定することができるようにした光ピックアップを提供することを目的としている。
【課題を解決するための手段】
【０００９】
上記目的を達成するため、請求項１に記載の発明は、フォーカス方向及びトラッキング
方向に移動可能なレンズホルダに光通過孔が貫設され、該レンズホルダの上面に光通過孔
よりも大径で該光通過孔と同心状の嵌合孔を形成することにより、その光通過孔の内周縁
にレンズ受座が形成され、前記嵌合孔の内周面からレンズホルダの上面にかけて周方向に
所定間隔をおいて複数の充填凹部が形成されており、対物レンズを嵌合孔に嵌入させてレ
ンズ受座上に載置し、接着剤充填器のノズルから前記各充填凹部に紫外線硬化性接着剤を
充填し、紫外線を照射して紫外線硬化性接着剤を固化させることにより、対物レンズをレ
ンズホルダに固定するようにした光ピックアップにおいて、前記各充填凹部からレンズホ
ルダの外周面まで延びる接着剤排出溝がそのレンズホルダの上面に形成されていることを
特徴としている。
【００１０】
請求項２に記載の発明は、請求項１に記載の発明において、前記各接着剤排出溝が各充
填凹部の奥端からレンズホルダの外周面まで延ばされていることを特徴としている。
【００１１】
請求項３に記載の発明は、請求項１に記載の発明において、前記各接着剤排出溝が各充
填凹部の両側縁からレンズホルダの外周面まで延ばされ、各充填凹部の奥端開口部に連通
するノズル嵌入部がレンズホルダの上面に形成されており、そのノズル嵌入部に接着剤充
填器のノズルの先端を嵌入させ、そのノズルから各充填凹部に紫外線硬化性接着剤を充填
するようにしたことを特徴としている。
【００１２】
請求項４に記載の発明は、フォーカス方向及びトラッキング方向に移動可能なレンズホ
ルダに光通過孔が貫設され、該レンズホルダの上面に光通過孔よりも大径で該光通過孔と
同心状の嵌合孔を形成することにより、その光通過孔の内周縁にレンズ受座が形成され、
前記嵌合孔の内周面からレンズホルダの上面にかけて周方向に所定間隔をおいて複数の充
填凹部が形成されており、対物レンズを嵌合孔に嵌入させてレンズ受座上に載置し、接着
剤充填器のノズルから前記各充填凹部に紫外線硬化性接着剤を充填し、紫外線を照射して
紫外線硬化性接着剤を固化させることにより、対物レンズをレンズホルダに固定するよう
にした光ピックアップにおいて、前記各充填凹部の両側縁からレンズホルダの外周面まで
延びる接着剤排出溝がそのレンズホルダの上面に形成され、レンズホルダの外周部の上面
を切り欠いて凹段部を形成することにより、各充填凹部の奥端に開口部が形成され、該各
充填凹部の奥端開口部に連通するノズル嵌入部が凹段部の底面に凹設されており、そのノ
ズル嵌入部に接着剤充填器のノズルの先端を嵌入させ、そのノズルから各充填凹部に紫外
線硬化性接着剤を充填するようにしたことを特徴としている。
【発明の効果】
【００１３】
請求項１に記載の発明によれば、各充填凹部に紫外線硬化性接着剤を過剰に充填したと
しても、その接着剤の過剰な分だけ接着剤排出溝を通って排出されるので、従来のように
過剰に充填された接着剤が対物レンズの外周縁に沿ってレンズホルダの上面に溢れたり対
物レンズ上に溢れ出ることがなく、対物レンズを適量の接着剤で確実に固定して、その接
着剤の固化収縮による対物レンズの歪みや収差による悪影響を極めて小さくすることがで
きる。
【００１４】
請求項２に記載の発明によれば、接着剤排出溝が各充填凹部の奥端に形成されて対物レ
ンズから離されているので、その対物レンズに紫外線硬化性接着剤が過剰に付着するのを
確実に阻止することができる。
【００１５】
請求項３に記載の発明によれば、接着剤充填器のノズルの先端をノズル嵌入部に嵌入さ
せるだけで、該ノズルが各充填凹部の奥端開口部に連通されるから、そのノズルから各充
填凹部内に紫外線硬化性接着剤を確実に充填することができ、従来のように各充填凹部の
外に接着剤を過剰にまき散らすことがなく、しかも、各充填凹部に過剰に充填した接着剤
を接着剤排出溝から確実に排出することができる。
【００１６】
請求項４に記載の発明は第２の実施の形態（図３〜図５参照）に対応するものであって
、これによれば、接着剤充填器のノズルの先端をノズル嵌入部に嵌入させるだけで、該ノ
ズルが各充填凹部の奥端開口部に連通されるから、そのノズルから各充填凹部内に紫外線
硬化性接着剤を確実に充填することができ、従来のように各充填凹部の外に接着剤を過剰
にまき散らすことがない。
【００１７】
また、各充填凹部に紫外線硬化性接着剤を過剰に充填したとしても、その接着剤の過剰
な分だけ接着剤排出溝を通って排出されるので、従来のように過剰に充填された接着剤が
対物レンズの外周縁に沿ってレンズホルダの上面に溢れたり対物レンズ上に溢れ出ること
がなく、対物レンズを適量の接着剤で確実に固定して、その接着剤の固化収縮による対物
レンズの歪みや収差による悪影響を極めて小さくすることができる。
【発明を実施するための最良の形態】
【００１８】
図１及び図２は本発明の第１の実施の形態である光ピックアップの要部を示すものであ
って、図１（ａ）は同要部の平面図、図１（ｂ）はＡ−Ａ矢視図、図２は同要部の斜視図
である。
【００１９】
図１及び図２に示すように、光通過孔２の軸心Ｏからレンズホルダ１の各角部に向けて
半径方向に延びる仮想線Ｌ１に沿って各充填凹部５の奥端からレンズホルダ１の外周面ま
で延びる所定深さｈ（例えば０．３ｍｍ）の接着剤排出溝８がそのレンズホルダ１の上面
１ａに形成されている。上記以外の構成は図６に示す構成とほぼ同じであるから、同一部
分に同一符号を付してその説明を省略する。
【００２０】
対物レンズＯＬの固定手順を説明すると、対物レンズＯＬを嵌合孔３に嵌入させてレン
ズ受座４上に載置し、各充填凹部５の上方に位置決めした接着剤充填器のノズル６から各
充填凹部５に紫外線硬化性接着剤ＵＶを充填する。このとき、充填された接着剤ＵＶのう
ちの過剰分は接着剤排出溝８を通って外部に排出され、各充填凹部５内には接着剤ＵＶが
適量だけ充填される。続けて、紫外線を照射して紫外線硬化性接着剤ＵＶを固化させるこ
とにより、対物レンズＯＬをレンズホルダ１に固定する。
【００２１】
上記構成によれば、各充填凹部５に紫外線硬化性接着剤ＵＶを過剰に充填したとしても
、その接着剤ＵＶの過剰な分だけ接着剤排出溝８を通って排出されるので、従来のように
過剰に充填された接着剤ＵＶが対物レンズＯＬの外周縁に沿ってレンズホルダ１の上面１
ａに溢れたり対物レンズＯＬ上に溢れ出ることがなく〔図６（ａ）の一点鎖線Ｇ１及び二
点鎖線Ｇ２参照〕、対物レンズＯＬを適量の接着剤ＵＶで確実に固定して、その接着剤Ｕ
Ｖの固化収縮による対物レンズＯＬの歪みや収差による悪影響を極めて小さくすることが
できる。
【００２２】
また、接着剤排出溝８が各充填凹部５の奥端に形成されて対物レンズＯＬから離されて
いるので、その対物レンズＯＬに紫外線硬化性接着剤ＵＶが過剰に付着するのを確実に阻
止することができる。
【００２３】
図３〜図５は本発明の第２の実施の形態である光ピックアップの要部を示すものであっ
て、図３（ａ）は同要部の平面図、図３（ｂ）はＢ−Ｂ矢視図、図４（ａ）は同要部の拡
大部分水平断面図、図４（ｂ）はＣ−Ｃ矢視図、図５（ａ）は同要部の斜視図、図５（ｂ
）は同要部の部分拡大斜視図である。
【００２４】
図３〜図５に示すように、各充填凹部５の両側縁から光通過孔２の半径方向に延びる仮
想線Ｌ１とは直交する方向Ｌ２に沿ってレンズホルダ１の外周面まで延びる接着剤排出溝
８がそのレンズホルダ１の上面１ａに形成されている。また、該各接着剤排出溝８の底面
８ａが所定の勾配β（例えば６°）で外方下向きに傾斜されて〔図４（ｂ）参照〕、その
各接着剤排出溝８から紫外線硬化性接着剤ＵＶを排出しやすくしている。
【００２５】
図３〜図５に示すように、レンズホルダ１の各角部の上面１ａを各充填凹部５の奥端に
かかるように切り欠いて凹段部９を形成することにより、該各充填凹部５の奥端に開口部
５ａが形成され、該奥端開口部５ａに連通するノズル嵌入部１０が仮想線Ｌ１に沿って凹
段部９の底面に凹設されている。上記以外の構成は図１及び図２に示す第１の実施の形態
の構成とほぼ同じであるから、同一部分に同一符号を付してその説明を省略する。
【００２６】
対物レンズＯＬの固定手順を説明すると、対物レンズＯＬを嵌合孔３に嵌入させてレン
ズ受座４上に載置し、図４（ａ）及び図５（ｂ）に示すように、ノズル嵌入部１０に接着
剤充填器のノズル６の先端を嵌入させ、そのノズル６から各充填凹部５に紫外線硬化性接
着剤ＵＶを充填する。このとき、充填された接着剤ＵＶのうちの過剰分は接着剤排出溝８
を通って外部に排出され、各充填凹部５内には接着剤ＵＶが適量だけ充填される。続けて
、紫外線を照射して紫外線硬化性接着剤ＵＶを固化させることにより、対物レンズＯＬを
レンズホルダ１に固定する。
【００２７】
上記構成によれば、第１の実施の形態とほぼ同様の効果を得ることができ、特に、接着
剤充填器のノズル６の先端をノズル嵌入部１０に嵌入させるだけで、該ノズル６が各充填
凹部５の奥端開口部５ａに連通されるから、そのノズル６から各充填凹部５内に紫外線硬
化性接着剤ＵＶを確実に充填することができ、従来のように各充填凹部５の外に接着剤Ｕ
Ｖを過剰にまき散らすことがない。
【図面の簡単な説明】
【００２８】
【図１】（ａ）は本発明の第１の実施の形態である光ピックアップの要部を示す平面図、（ｂ）はＡ−Ａ矢視図である。
【図２】同要部の斜視図である。
【図３】（ａ）は本発明の第２の実施の形態である光ピックアップの要部を示す平面図、（ｂ）はＢ−Ｂ矢視図である。
【図４】（ａ）は同要部の拡大部分水平断面図、（ｂ）はＣ−Ｃ矢視図である。
【図５】（ａ）は同要部の斜視図、（ｂ）は同要部の部分拡大斜視図である。
【図６】（ａ）は従来例の要部を示す平面図、（ｂ）はＤ−Ｄ矢視図である。
【符号の説明】
【００２９】
１          レンズホルダ
１ａ        レンズホルダの上面
２          光通過孔
３          嵌合孔
４          レンズ受座
５          充填凹部
６          接着剤充填器のノズル
８          接着剤排出溝
９          凹段部
１０        ノズル嵌入部
ＵＶ        紫外線硬化性接着剤
ａ，ｂ      フォーカス方向
ｃ，ｄ      トラッキング方向
【図１】
2009020940.tif 000003
【図２】
2009020940.tif 000004
【図３】
2009020940.tif 000005
【図４】
2009020940.tif 000006
【図５】
2009020940.tif 000007
【図６】
2009020940.tif 000008